(57)【要約】【課題】簡単な構成で、カバン締結用ベルトで締結された旅行カバン、スーツケース、トランク等の運搬性を向上させることを可能とするカバン締結用ベルトを提供することを目的とする。【解決手段】スーツケース、カバン等のカバンを締結するカバン締結用ベルトにおいて、一定の幅を有しフレキシブルな材料で形成されるベルト本体と、前記ベルト本体の端部に設けられる連結手段と、前記ベルト本体に取り付けられる把手と、を備えることを特徴とする。【選択図】  図１
2016049320.tif 000002
【特許請求の範囲】
【請求項１】
スーツケース、カバン等のカバンを締結するカバン締結用ベルトにおいて、
一定の幅を有しフレキシブルな材料で形成されるベルト本体と、
前記ベルト本体の端部に設けられる連結手段と、
前記ベルト本体に取り付けられる把手と、
を備えることを特徴とするカバン締結用ベルト。
【請求項２】
前記ベルト本体に補強部を介して前記把手の取付部を形成することを特徴とする請求項１に記載のカバン締結用ベルト。
【請求項３】
前記把手の取付部に前記把手の把持部を固定又は着脱可能に取り付けることを特徴とする請求項２に記載のカバン締結用ベルト。
【請求項４】
前記把手の把持部を前記ベルト本体よりも剛性の高い材料で形成することを特徴とする請求項１ないし３のいずれか１項に記載のカバン締結用ベルト。
【発明の詳細な説明】
【技術分野】
【０００１】
本発明は、旅行カバン、スーツケース、トランク等のカバンを締結するカバン締結用ベルトに関する。
【背景技術】
【０００２】
旅行カバン、スーツケース、トランク等のカバンは、飛行機のカバン室等に運搬する際、衝撃が加えられて施錠装置が破損したり、或いはロック装置が不用意に解除され開放されないように、カバンを巻回して締結するカバン締結用ベルトが使用されている。
【先行技術文献】
【特許文献】
【０００３】
【特許文献１】特許第５０８４１６１号公報
【特許文献２】特開２００８−３０７２６７号公報
【発明の概要】
【発明が解決しようとする課題】
【０００４】
従来のカバン締結用ベルトは、締結、解放の容易性、長さ調節の容易性等や識別性の向上を目的とした発明が数多く提案されているが、カバン締結用ベルトで締結された状態での運搬性について考慮されたものは存在しない。
【０００５】
本発明は、上記従来の問題を解決するものであって、簡単な構成で、カバン締結用ベルトで締結された旅行カバン、スーツケース、トランク等の運搬性を向上させることを可能とするカバン締結用ベルトを提供することを目的とする。
【課題を解決するための手段】
【０００６】
本発明のカバン締結用ベルトは、前記課題を解決するために、スーツケース、カバン等のカバンを締結するカバン締結用ベルトにおいて、一定の幅を有しフレキシブルな材料で形成されるベルト本体と、前記ベルト本体の端部に設けられる連結手段と、前記ベルト本体に取り付けられる把手と、を備えることを特徴とする。
【０００７】
また、本発明のカバン締結用ベルトは、前記ベルト本体に前記把手の取付部を補強部を介して形成することを特徴とする。
【０００８】
また、本発明のカバン締結用ベルトは、前記把手の取付部に前記把手の把持部を固定又は着脱可能に取り付けることを特徴とする。
【０００９】
また、本発明のカバン締結用ベルトは、前記把手の把持部を前記ベルト本体より剛性の高い材料で形成することを特徴とする。
【発明の効果】
【００１０】
スーツケース、カバン等のカバンを締結するカバン締結用ベルトにおいて、一定の幅を有しフレキシブルな材料で形成されるベルト本体と、前記ベルト本体の端部に設けられる連結手段と、前記ベルト本体に取り付けられる把手と、を備えることで、カバンをカバン締結ベルトで締結した後、飛行機のカバン室等へのカバンの運搬作業をする際、本来のカバン等のカバンの把手を傷つけることなく、カバン出入作業を容易に実施することが可能となる。
ベルト本体に補強部を介して把手の取付部を形成することで、把手をベルト本体に強固に取り付けることが可能となる。
把手の取付部に前記把手の把持部を固定又は着脱可能に取り付けることで、必要に応じて把手をベルト本体に固定又は着脱可能にとりつけることで使い勝手の良いカバン締結用ベルトとすることが可能となる。
把手の把持部を前記ベルト本体より剛性の高い材料で形成することで、運搬する人が把手を把持しやすくし、運搬作業の効率性を向上することが可能となる。
【図面の簡単な説明】
【００１１】
【図１】本発明の実施形態を示す図である。
【図２】（ａ）（ｂ）本発明の実施形態を示す図である。
【図３】（ａ）（ｂ）本発明の実施形態を示す図である。
【図４】（ａ）（ｂ）本発明の実施形態を示す図である。
【図５】本発明の実施形態を示す図である。
【図６】（ａ）（ｂ）（ｃ）本発明の実施形態を示す図である。
【発明を実施するための形態】
【００１２】
本発明の実施の形態を図により説明する。図１は、本発明の一実施形態を示す図である。この実施形態において、旅行カバン等にカバン１を締結するカバン締結用ベルト２は、幅が５ｃｍ程度のベルト本体３を有する。
【００１３】
ベルト本体３は、一定以上の強度を有するものであればどのような材料でも良いが、本実施形態では、アクリル繊維を編みあげて形成する。ベルト本体３の端部には連結手段４が配置される。連結手段４は、どのような方式のものでも良いが、一般的な連結手段４の実施形態については後述する。
【００１４】
本発明のカバン締結ベルト２の特徴的構成は、カバン締結ベルト２に把手５を取り付けることである。図２（ａ）（ｂ）は、カバン締結ベルト２に把手５を取り付ける一実施形態を示す図である。この実施形態の把手５は、剛性の高い樹脂や皮革で形成された運搬する人が手で持つ把持部５ａと、把持部５ａの両端に固定されるフレキシブルな材料で形成されるベルト状のフレキシブル連結部５ｂにより構成される。
【００１５】
ベルト本体２には、把手取付部６が形成される。把手取付部６は、ベルト本体２の下側と、ベルト本体２の上側に載置したフレキシブル連結部５ｂの上に補強部材７を重ねて形成する。補強部材７としては、強度の大きい皮革や樹脂シートが用いられる。シート状の補強部材７を２つ折りにして、ベルト本体２の下側と、ベルト本体２の上側に載置したフレキシブル連結部５ｂの上に配置すると良い。ベルト本体２に補強部材７とフレキシブル連結部５ｂを配置した状態で、鳩目パンチ等による固定具を用いて固定ピン８を打ち込み、把手５のフレキシブル連結部５ｂがベルト本体２の把手取付部６に強固に固定する。把手５の把手取付部６への固定は、この実施形態に限定されるものではなく、他の固定手段を用いても良いことは当然のことである。
【００１６】
図３（ａ）（ｂ）、図４（ａ）（ｂ）、図５は、カバン締結ベルト２に把手５を取り付ける他の実施形態を示す図である。図４（ａ）（ｂ）に示されるように、この実施形態の把手は、剛性の高い樹脂や皮革で形成された運搬する人が手で持つ把持部５ａと、把持部５ａの両端に回動可能に固定される矩形の連結リング５ｃにより構成される。
【００１７】
図３（ａ）（ｂ）は、ベルト本体３に形成される把手取付部６の実施形態を示す図である。この実施形態の把手取付部６は、板ばねで形成されるクリップ９が補強部材７を介して固定ピン８により固定される。クリップ９は、一方の端部に孤状部９ａが形成され、他方に端部の直線部９ｂが、孤状部９ａを押しつけるように配置される。
【００１８】
図５は、両端に連結リング５ｃを回動可能に取り付けた把持部５ａを、ベルト本体３に固定したクリップ９に取り付ける実施形態を示す図である。連結リング５ｃを、板ばねで形成された閉じた状態に付勢されたクリップ９の孤状部９ａと直線部９ｂとの間に押しこみ、連結リング５ｃを孤状部９ａに位置させる。連結リング５ｃをクリップ９から取り外す際は、孤状部９ａと直線部９ｂの付勢力に抗して連結リング５ｃを取り外す。以上のように把手５を把手取付部７のクリップに簡単な作業で着脱することが可能となる。把手５の把手取付部７への着脱可能な取付手段は、この実施形態に限定されるものではなく、他の着脱可能な取付手段を用いても良いことは当然のことである。
【００１９】
図６（ａ）（ｂ）（ｃ）は、連結手段４の一実施形態を示す図である。この実施形態の連結手段４は、ベルト本体３の一端に連結具取付部材４ａを介して連結される。連結手段４は、矩形の折り返しリング４ｂと矩形の抜け止めリング４ｃを若干ずらして積層して構成される。
【００２０】
連結手段４の使用方法は、ベルト本体３の長さを概ね調整した後、ベルト本体３によりカバン当のカバン１を巻回する。連結手段４の使用手順を図６図６（ｃ）により説明する。先ず、ベルト本体３の他端３ａを折り返しリング４ｂに挿通する。次に、ベルト本体３の他端３ａを抜け止めリング４ｃに挿通する。さらに、ベルト本体３の他端３ａを反対方向に折り返し、抜け止めリング４ｃに再び挿通する。この後、ベルト本体３の他端３ａを強く引くと、ベルト本体はカバン１を強く締め付けて締結する。ベルト本体３の締結状態を緩めるような負荷されると、抜け止めチン具４ｃが折り返しリング４ｂ側に押し付けられてベルト本体３を強圧し緩みを防止する。連結手段４は、この実施形態に限定されるものではなく、ソケット式やバックル式の連結手段を用いても良いことは当然である。
【００２１】
以上のように、本発明のカバン締結用ベルト２によれば、カバンをカバン締結ベルトで締結した後も、本来のカバン等の把手を傷つけることなく、運搬する人が把手を把持しやすくし、飛行機のカバン室等へのカバンの運搬作業の効率性を向上することが可能となる。出入作業を容易に実施することが可能となる。
【符号の説明】
【００２２】
１：カバン、２：カバン締結用ベルト、３：ベルト本体、３ａ：ベルト本体の他端、４：連結手段、４ａ：連結具取付部材、４ｂ：折り返しリング、４ｃ：抜け止めリング、５：把手、５ａ：把持部、５ｂ：フレキシブル連結部、５ｃ：連結リング、６：把手取付部、７：補強部材、８：固定ピン、９：クリップ、９ａ：孤状部、９ｂ：直線部、
【図１】
2016049320.tif 000003
【図２】
2016049320.tif 000004
【図３】
2016049320.tif 000005
【図４】
2016049320.tif 000006
【図５】
2016049320.tif 000007
【図６】
2016049320.tif 000008